(57)【要約】【課題】ケースレスで安全に、かつ、コンパクト化した状態のもとで携行したり保管しておくことができる携帯用テスタの提供。【解決手段】測定用の一側プローブ２０を先端部１３の側から突出させたテスタ本体１２と、該テスタ本体１２からリード線４３を介して引き出された測定用の他側プローブ４２とからなる携帯用テスタ１１において、テスタ本体１２の先端部１３の近傍位置には、一側プローブ２０方向への倒伏が自在な起伏支脚部３２と、該起伏支脚部３２の先端側に付設されてその倒伏時に一側プローブ２０の導入が自在なスリット部３０を具備させた軟質キャップ部２９とからなる保護キャップ体２８を配設した。【選択図】図１
2004020366.tif 000002
【特許請求の範囲】
【請求項１】
測定用の一側プローブを先端部の側から突出させたテスタ本体と、該テスタ本体からリード線を介して引き出された測定用の他側プローブとからなる携帯用テスタにおいて、
テスタ本体の前記先端部の近傍位置には、前記一側プローブ方向への倒伏が自在な起伏支脚部と、該起伏支脚部の先端側に付設されてその倒伏時に前記一側プローブの導入が自在なスリット部を具備させた軟質キャップ部とからなる保護キャップ体を配設したことを特徴とする携帯用テスタ。
【請求項２】
前記軟質キャップ部には、前記一側プローブとは反対の方向に起伏支脚部を倒伏させた際に前記テスタ本体が備える一対の保持片との嵌合を自在に形成された一対の嵌合溝をその外側面に設けた請求項１に記載の携帯用テスタ。
【請求項３】
前記保護キャップ体は、テスタ本体の前記先端部を含む領域に着脱自在に覆設されるカバーを介して前記起伏支脚部の基端部を保持させて前記テスタ本体に配設した請求項１又は２に記載の携帯用テスタ。
【請求項４】
前記保護キャップ体は、テスタ本体の前記先端部の近傍位置に設けた被掛止部に前記起伏支脚部の基端部に設けた掛止部を掛合して前記一側プローブ方向への倒伏を自在に配設した請求項１に記載の携帯用テスタ。
【発明の詳細な説明】
【０００１】
【発明の属する技術分野】
本発明は、テスタ本体から突出させた測定用のプローブを不使用時に覆って安全裡に携行・保管ができる保護キャップ体を具備させた携帯用テスタに関する技術である。
【０００２】
【従来の技術】
図７は、従来からある携帯用テスタの一例を示す説明図であり、測定用の一側プローブ４を先端部３の側から突出させたテスタ本体２と、該テスタ本体２の後端部５の側からリード線７を介して引き出された測定用の他側プローブ６とで携帯用テスタ１の全体が構成されている。
【０００３】
このため、携帯用テスタ１は、鋭利な一側プローブ４の接触端側と他側プローブ６の接触端側とを露呈させた状態のもとで持ち運ぶ場合に怪我をするおそれがあり、このような怪我からの安全性を確保する必要からその不使用時にケース本体９ａに入れて蓋９ｂをした状態、つまりケース９内に収納された状態のもとで携行したり保管されることになる。
【０００４】
【発明が解決しようとする課題】
しかし、上記従来例による場合には、携帯用テスタ１とは別体となったケース９を用意する必要があり、該ケース９は、携帯用テスタ１を使用する測定作業時に邪魔になったり紛失したりする不都合があった。
【０００５】
しかも、ケース９は、テスタ本体２を含む携帯用テスタ１の全体を一括して収納できなければならないことから、その外形サイズも大きくなって携行時や保管時における荷姿をコンパクト化できない不具合もあった。なお、従来からある携帯用テスタ１には、その一側プローブ４の先端部側を覆うキャップが別体として用意され、不使用時に覆うようにしたものもあるが、これを取り外した際に紛失しやすいという問題があった。
【０００６】
本発明は、従来からある携帯用テスタにみられた上記課題に鑑み、ケースや別体として用意されるキャップを用いることなく安全に、かつ、コンパクト化した状態のもとで携行したり保管しておくことができる携帯用テスタを提供することを目的とする。
【０００７】
【課題を解決するための手段】
本発明は、上記目的を達成すべくなされたものであり、測定用の一側プローブを先端部の側から突出させたテスタ本体と、該テスタ本体からリード線を介して引き出された測定用の他側プローブとからなる携帯用テスタにあって、テスタ本体の前記先端部の近傍位置には、前記一側プローブ方向への倒伏が自在な起伏支脚部と、該起伏支脚部の先端側に付設されてその倒伏時に前記一側プローブの導入が自在なスリット部を具備する軟質キャップ部とからなる保護キャップ体を配設したことに構成上の特徴がある。
【０００８】
この場合、前記軟質キャップ部には、前記一側プローブとは反対の方向に起伏支脚部を倒伏させた際に前記テスタ本体が備える一対の保持片との嵌合を自在に形成された一対の嵌合溝をその外側面に設けておくこともできる。さらに、前記保護キャップ体は、テスタ本体の前記先端部を含む領域に着脱自在に覆設されるカバーを介して前記起伏支脚部の基端部を保持させて前記テスタ本体に配設するのが望ましい。
【０００９】
また、本発明における前記保護キャップ体は、テスタ本体の前記先端部の近傍位置に設けた被掛止部に前記起伏支脚部の基端部に設けた掛止部を掛合して前記一側プローブ方向への倒伏を自在に配設するものであってもよい。
【００１０】
【発明の実施の形態】
図１は、本発明の一例をその上面側を上にして示す一部を省略した全体斜視図であり、携帯用テスタ１１の全体は、測定用の一側プローブ２０を先端部１３の側から突出させたテスタ本体１２と、該テスタ本体１２からリード線４３を介して引き出された測定用の他側プローブ４２とで構成されている。なお、図中の符号２４と２５とは、リード線３３の巻付けと他側プローブ３２の挟持とを自在とすべく、テスタ本体１２の下面側に各一対となって翼状に突設された保持片を、２６は、被測定箇所を照明するためのライトをそれぞれ示す。
【００１１】
また、テスタ本体１２の先端部１３側には、一側プローブ２０方向とその後方への倒伏が自在な起伏支脚部３２と、該起伏支脚部３２の先端側に付設されてその倒伏時に一側プローブ２０の導入が自在なスリット部３０を具備させた軟質キャップ部２９とからなる保護キャップ体２８が配設されている。
【００１２】
さらに、保護キャップ体２８は、一側プローブ２０とは反対の方向に起伏支脚部３２を倒伏させた際にテスタ本体１２が備える一対の保持片２４，２４との間に圧入されて嵌着される一対の嵌合溝３１，３１をその軟質キャップ部２９の外側面２９ａに設けて形成されている。
【００１３】
図２は、本発明の一例を図１とは逆にその下面側を上にしてテスタ本体１２に対する保護キャップ体２８の取付け構造例を示す要部拡大分解斜視図であり、図３は、その組み立て途中の状態を示す状態説明図である。
【００１４】
これらの図によれば、テスタ本体１２の先端部１３を含む領域は、その先端側から差し込まれて密に覆設し得る立体形状が付与されたカバー１７により着脱自在に覆設されている。
【００１５】
これをさらに詳しく説明すれば、カバー１７は、その先端面の中央部に穿設された透孔１８を備えており、一側プローブ２０が鍔部２１をその途中に介在させて基端側に備える螺杆材２２を透孔１８からテスタ本体１２の対応部位に設けてある螺孔１６内へと送り込んで螺着させることにより、鍔部２１を透孔１８側に圧接させた状態のもとでテスタ本体１２側に着脱自在に覆設できるようになっている。なお、図中の符号２７は、ライト２６を表出させるための窓孔を示す。
【００１６】
この場合、テスタ本体１２の先端部１３は、その長さ方向と直交する位置関係のもとで凹設された軸受け溝１４と該軸受け溝１４の背部に突設された隆起部１５とを備えており、このうちの軸受け溝１４には、保護キャップ体２８を構成する起伏支脚部３２がその基端部に備える支軸部３３を軸回転自在に納めておくことができるようになっている。
【００１７】
しかも、カバー１７には、これを覆設する際に起伏支脚部３２と隆起部１５との当接を回避させ得る幅と長さとが付与された切欠部１９がその差し込み方向に形成されているので、テスタ本体１２の先端部１３を含む領域に覆設した際、支軸部３３を介して保護キャップ体２８の側を起伏自在に支持することができるようになっている。
【００１８】
図４は、テスタ本体１２に対する保護キャップ体２８の取付け構造の他例を示す要部説明図であり、この場合、テスタ本体１２の先端部１３には、軟質または硬質な素材からなる略コ字状を呈する被掛止部３５が付設されている。また、保護キャップ体２８を構成している軟質または硬質な素材からなる起伏支脚３２は、被掛止部３５への掛合が自在に折曲形成された掛止部３４をその基端部に備えており、該掛止部３４は、略Ｌ字形を呈する差込み部３４ａと、該差込み部の開放端側を直立させた起立片部３４ｂとで形成されている。
【００１９】
このため、図４に示す例によれば、保護キャップ体２８は、起伏支脚部３２における掛止部３４を、その起立片部３４ｂを先端側から被掛止部３５内に差し込んでから回り込ませて被掛止部３５と掛合させることにより、少なくとも一側プローブ２０方向への倒伏が自在となってテスタ本体１２の側に配設されることになる。
【００２０】
次に、上記構成からなる本発明の作用・効果を図に即して説明すれば、測定作業に入るためにこれを使用しようとするときは、一側プローブ２０に図５に示すようにして被せてある軟質キャップ部２９を上方に引き上げることにより、スリット部３０を介して一側プローブ２０の側から容易に引き離して保護キャップ体２８の全体を可撓性に富む起伏支脚部３２の復元力により起立姿勢を維持させておくことができる。
【００２１】
そして、このように起伏支脚部３２を起立させることにより、軟質キャップ部２９の側を測定作業の邪魔にならないようにテスタ本体１２の上方位置にその長さ方向と略平行となって配置しておくことができる。
【００２２】
しかも、テスタ本体１２の先端部１３近傍位置には、リード線４３の巻付けと他側プローブ４２の挟持とを自在とした一対の保持片２４，２４が立設されているので、これら保持片２４，２４相互間に軟質キャップ部２９を圧入することにより、その外側面２９ａに設けられている一対の嵌合溝３１，３１を図６に示されているように保持片２４の別に嵌着させておくことができる。
【００２３】
したがって、使用時には、保護キャップ体２８の全体を倒伏させた邪魔にならない状態のもとで位置固定させておくことができるので、保護キャップ体２８の存在に邪魔されることなく円滑に測定作業を遂行することができる。
【００２４】
また、測定を終えた際には、以上に述べた手順とは逆の手順を踏むことにより、一側プローブ２０に軟質キャップ部２９を被せて保護キャップ体２８の全体を一側プローブ２０の側に倒伏させた状態を維持させておくことができるので、不使用時におけるコンパクトな仕舞い勝手を容易に得ることができる。
【００２５】
しかも、必要により保護キャップ体２８をテスタ本体１２の側から取り外す際には、テスタ本体１２に対する一側プローブ２０の側の螺合状態を解消させてカバー１７を抜き取って、起伏支脚部３２の支軸部３３を軸受け溝１４から取り出すことにより簡単に行うことができる。また、再度、保護キャップ体２８をテスタ本体１２の側に取り付ける際には、その逆の手順を踏むことにより容易に行うことができる。
【００２６】
一方、テスタ本体１２に対し保護キャップ体２８が図４に示すような取付け構造により取り付けられている場合には、テスタ本体１２の被掛止部３５に起伏支脚部３２の基端部に設けられている掛止部３４をその起立片部３４ｂを介して掛合させることにより、簡単に保護キャップ体２８をテスタ本体１２に起伏自在に取り付けることができる。
【００２７】
したがって、図１に示す例とは異なり、カバー１７を用いることなく保護キャップ体２８をテスタ本体１２に取り付けることができるので、それだけ取付け構造を簡素化することができる。
【００２８】
以上は、本発明の実施形態を図示例に即して説明したものであり、その具体的な内容はこれに限定されることなく、本発明から逸脱しない範囲で上記実施形態に対し様々な変形を施すことが可能である。すなわち、例えば、保護キャップ体２８は、軟質な素材からなる起伏支脚部３２の基端部をテスタ本体１２に直結させるものであってもよい。また、テスタ本体１２が図示例のような一対の保持片１４，１４を備えていない場合には、軟質キャップ部２８の外側面２９ａに嵌合溝３１を設けることなく、その不使用時に起立させておくこともできる。
【００２９】
【発明の効果】
以上述べたように本発明によれば、不使用時には、テスタ本体が備える一側プローブに軟質キャップ部を被せておくことができるので、剥き出し状態で持ち運んだり保管したりすることをなくして、コンパクト化はもとより、その安全性も高めてやることができる。
【００３０】
また、測定作業時には、一側プローブから軟質キャップ部を把持してテスタ本体の側に一体的に保持させておくことができるので、測定作業の邪魔になったり、紛失したりすることをなくすことができる。
【図面の簡単な説明】
【図１】本発明の一例をその上面側を上にして示す一部を省略した全体斜視図。
【図２】本発明の一例を図１とは逆にその下面側を上にしてテスタ本体に対する保護キャップ体の取付け構造例を示す要部拡大分解斜視図。
【図３】図２との関係でその組み立て途中の状態を示す状態説明図。
【図４】テスタ本体に対する保護キャップ体の取付け構造の他例を示す要部説明図。
【図５】一側プローブに軟質キャップ部を被せた不使用時の状態を示す要部説明図。
【図６】保持片に軟質キャップ部を嵌着させた使用時の状態を示す要部説明図。
【図７】従来からある携帯用テスタの一例を示す説明図。
【符号の説明】
１１　携帯用テスタ
１２　テスタ本体部
１３　先端部
１４　軸受け溝
１５　隆起部
１６　螺孔
１７　カバー
１８　透孔
１９　切欠部
２０　一側プローブ
２１　鍔部
２２　螺杆材
２４，２５　保持片
２６　ライト
２７　窓孔
２８　保護キャップ体
２９　軟質キャップ部
２９ａ　外側面
３０　スリット部
３１　嵌合溝
３２　起伏支脚部
３３　支軸部
３４　掛止部
３４ａ　差込み部
３４ｂ　起立片部
３５　被掛止部
４２　他側プローブ
４３　リード線
【図１】
2004020366.tif 000003
【図２】
2004020366.tif 000004
【図３】
2004020366.tif 000005
【図４】
2004020366.tif 000006
【図５】
2004020366.tif 000007
【図６】
2004020366.tif 000008
【図７】
2004020366.tif 000009